(57)【要約】【課題】波長が異なるビーム光を発射する複数の光源を備えた光ピックアップにおいて、各ビーム光の非点収差の管理を容易かつ安価に行う。【解決手段】レーザダイオード１、２とこれらから発射されたＢＤ／ＤＶＤ／ＣＤ用ビームの光軸を一致させるダイクロイックプリズム５との間に、非点収差補正板３、４をＢＤ／ＤＶＤ／ＣＤ用ビームの光軸に対して傾斜させて配置し、ダイクロイックプリズム５とコリメートレンズ８との間に、非点収差補正板６をダイクロイックプリズム５から出射したＢＤ／ＤＶＤ／ＣＤ用ビームの光軸に対して傾斜させて配置し、各非点収差補正板３、４、６を回転可能に支持しつつ、各非点収差補正板３、４、６のＢＤ／ＤＶＤ／ＣＤ用ビームの光軸に対する傾斜角度を調整する複数の角度調整機構を備える。【選択図】図１
2008257793.tif 000002
【特許請求の範囲】
【請求項１】
波長が異なるビーム光を発射する複数の光源と、各光源から発射されたビーム光の光軸を一致させる光軸一致体と、光軸一致体から出射したビーム光を平行光に変換するコリメートレンズと、各ビーム光を光ディスク上に集光する複数の対物レンズと、ビーム光の非点収差を補正する非点収差補正板とを備えた光ピックアップにおいて、
前記非点収差補正板は、前記各光源と前記光軸一致体との間に前記各光源から発射された各ビーム光の光軸に対して傾斜させて配置された前記各光源に対応する複数の非点収差補正板と、前記光軸一致体と前記コリメートレンズとの間に前記光軸一致体から出射した各ビーム光の光軸に対して傾斜させて配置された共通の非点収差補正板とから成り、
前記各非点収差補正板を回転可能に支持しつつ、前記各非点収差補正板の各ビーム光の光軸に対する傾斜角度を調整する複数の角度調整機構を備えたことを特徴とする光ピックアップ。
【請求項２】
請求項１に記載の光ピックアップにおいて、
前記各角度調整機構は、前記各ビーム光の光軸が前記各非点収差補正板の中心を透過するように、前記各非点収差補正板を該非点収差補正板の中心線と対角線とにそれぞれ一致する複数の軸回りに回転可能に支持することを特徴とする光ピックアップ。
【請求項３】
請求項１または請求項２に記載の光ピックアップにおいて、
前記各光源から発射して前記コリメートレンズから出射した各ビーム光の非点収差が目標範囲内に収まるように、前記各非点収差補正板の前記傾斜角度を前記角度調整機構により調整して、前記各非点収差補正板を固定したことを特徴とする光ピックアップ。
【請求項４】
請求項３に記載の光ピックアップにおいて、
波長が短いビーム光を前記光源の一方から発射して、該ビーム光の前記コリメートレンズからの出射後の非点収差が目標範囲内に収まるように、前記光源の一方に対応する非点収差補正板と前記共通の非点収差補正板の前記傾斜角度を前記角度調整機構により調整して、該非点収差補正板を固定し、この後波長が長いビーム光を前記光源の他方から発射して、該ビーム光の前記コリメートレンズからの出射後の非点収差が目標範囲内に収まるように、前記光源の他方に対応する非点収差補正板の前記傾斜角度を前記角度調整機構により調整して、該非点収差補正板を固定したことを特徴とする光ピックアップ。
【請求項５】
ＢＤに応じた第１のビーム光を発射する第１の光源と、ＤＶＤに応じた第２のビーム光とＣＤに応じた第３のビーム光とを発射する第２の光源と、各光源から発射されたビーム光の光軸を一致させる光軸一致体と、光軸一致体から出射したビーム光を平行光に変換するコリメートレンズと、第１のビーム光をＢＤ上に集光する第１の対物レンズと、第２または第３のビーム光をＤＶＤ上またはＣＤ上に集光する第２の対物レンズと、ビーム光の非点収差を補正する板ガラス製の平行平板である非点収差補正板とを備えた光ピックアップにおいて、
前記非点収差補正板は、前記第１の光源と前記光軸一致体との間に前記第１のビーム光の光軸に対して傾斜させて配置された第１の非点収差補正板と、前記第２の光源と前記光軸一致体との間に前記第２および第３のビーム光の光軸に対して傾斜させて配置された第２の非点収差補正板と、前記光軸一致体と前記コリメートレンズとの間に前記光軸一致体から出射した各ビーム光の光軸に対して傾斜させて配置された第３の非点収差補正板とから成り、
前記各ビーム光の光軸が前記各非点収差補正板の中心を透過するように、前記各非点収差補正板を該非点収差補正板の縦の中心線と一方の対角線とにそれぞれ一致する２つの軸回りにそれぞれ回転可能に支持しつつ、前記各非点収差補正板の前記各ビーム光の光軸に対する傾斜角度をそれぞれ調整する第１、第２、および第３の角度調整機構を備えたことを特徴とする光ピックアップ。
【請求項６】
波長が異なるビーム光を発射する複数の光源と、各光源から発射されたビーム光の光軸を一致させる光軸一致体と、光軸一致体から出射したビーム光を平行光に変換するコリメートレンズと、各ビーム光を光ディスク上に集光する複数の対物レンズと、ビーム光の非点収差を補正する非点収差補正板とを備えた光ピックアップの非点収差調整方法であって、
前記各光源と前記光軸一致体との間に、前記各光源に対応する前記非点収差補正板を前記各光源から発射された各ビーム光の光軸に対して傾斜させて配置し、
前記光軸一致体と前記コリメートレンズとの間に、前記各光源に共通の前記非点収差補正板を前記光軸一致体から出射した各ビーム光の光軸に対して傾斜させて配置し、
前記各非点収差補正板を回転可能に支持しつつ、前記各非点収差補正板の各ビーム光の光軸に対する傾斜角度を調整する複数の角度調整機構を設け、
波長が最も短いビーム光を前記光源の一方から発射して、該ビーム光の前記コリメートレンズからの出射後の非点収差を計測装置により計測し、該計測した非点収差が目標範囲内に収まるように、前記光源の一方に対応する非点収差補正板と前記共通の非点収差補正板の前記傾斜角度を前記角度調整機構により調整して、該非点収差補正板を固定し、この後波長が長いビーム光を前記光源の他方から発射して、該ビーム光の前記コリメートレンズからの出射後の非点収差を計測装置により計測し、該計測した非点収差が目標範囲内に収まるように、前記光源の他方に対応する非点収差補正板の前記傾斜角度を前記角度調整機構により調整して、該非点収差補正板を固定することを特徴とする光ピックアップの非点収差調整方法。
【発明の詳細な説明】
【技術分野】
【０００１】
本発明は、波長が異なるビーム光を発射する複数の光源を備えた光ピックアップにおける、非点収差調整構造および方法に関するものである。
【背景技術】
【０００２】
波長が異なるビーム光を発射する複数の光源を備えた光ピックアップがある。この種の光ピックアップでは、光学部品の増加に伴い、光ディスク上に生じるビーム光の非点収差が悪化し易くなっている。このため、光ディスクの再生時等に信号品質を確保するには、非点収差を管理することが望ましい。非点収差の管理とは、ビーム光の非点収差を予め設定した目標範囲内に収まるように調整することである。従来、非点収差を管理するために、液晶素子を非点収差補正手段として用いることが考えられている。しかしこの場合、光ディスクの再生の度に、再生信号を優良にするように、液晶素子への印加電圧を変化させる必要があり、液晶素子の駆動回路の構造が複雑で、該駆動回路にかかる負担が大きく、該駆動回路と液晶素子にかかるコストが高くなる。
【０００３】
また従来、非点収差を管理するために、下記の特許文献１〜３に開示されているように、板ガラス製の平行平板から成る非点収差補正板を用いることが考えられている。特許文献１では、１つの光源から発射されたビーム光の光軸に対して傾斜させて第１の非点収差補正板を光源と一体的に設け、第１の非点収差補正板を透過したビーム光の光軸に対して傾斜させて第２の非点収差補正板を設け、両非点収差補正板の傾斜方向を逆にしている。特許文献２では、１つの光源とコリメートレンズとの間、または１つの光源と受光素子とビームスプリッタとを有する光集積回路と対物レンズとの間に、ビーム光の光軸に対して傾斜させて非点収差補正板を設け、かつ該非点収差補正板をビーム光の光軸を中心に回転可能に支持して、該非点収差補正板の傾斜角度を調整する調整機構を設けている。特許文献３では、２つの光源から発射された各ビーム光の光軸を合成する光軸合成プリズムと、光軸合成プリズムを透過したビーム光を光ディスクへ反射するリーケージミラーとの間に、ビーム光の光軸に対して傾斜させて非点収差補正板を設けている。上記のように非点収差補正板を用いると、回路によって電気的に非点収差を管理する必要がないので、コストを低く抑えられる。しかし、１つの非点収差補正板での非点収差補正量には限りがあるので、複数の光源から発射された波長が異なる各ビーム光の非点収差を管理しきれないおそれがある。
【０００４】
【特許文献１】特開平９−３２００９７号公報
【特許文献２】特開平１０−２１５７９号公報
【特許文献３】特開２００６−３３８８０１号公報
【発明の開示】
【発明が解決しようとする課題】
【０００５】
本発明は、上述した問題点を解決するものであって、その課題とするところは、波長が異なるビーム光を発射する複数の光源を備えた光ピックアップにおいて、各ビーム光の非点収差の管理を容易かつ安価に行うことにある。
【課題を解決するための手段】
【０００６】
本発明では、波長が異なるビーム光を発射する複数の光源と、各光源から発射されたビーム光の光軸を一致させる光軸一致体と、光軸一致体から出射したビーム光を平行光に変換するコリメートレンズと、各ビーム光を光ディスク上に集光する複数の対物レンズと、ビーム光の非点収差を補正する非点収差補正板とを備えた光ピックアップにおいて、非点収差補正板は、各光源と光軸一致体との間に各光源から発射された各ビーム光の光軸に対して傾斜させて配置された各光源に対応する複数の非点収差補正板と、光軸一致体とコリメートレンズとの間に光軸一致体から出射した各ビーム光の光軸に対して傾斜させて配置された共通の非点収差補正板とから成り、各非点収差補正板を回転可能に支持しつつ、各非点収差補正板の各ビーム光の光軸に対する傾斜角度を調整する複数の角度調整機構が設けられる。
【０００７】
このようにすると、各光源に対応させて設けた各非点収差補正板と共通で設けた非点収差補正板の傾斜角度を各角度調整機構により調整して、各ビーム光のコリメートレンズからの出射後の光束を整え、各ビーム光の非点収差を確実に調整し管理することができる。また、各光源に対応する各非点収差補正板と共通の非点収差補正板とで各ビーム光の非点収差補正量を補完し合って、各ビーム光の非点収差を確実に精度良く管理することができる。また、各光源に対応する各非点収差補正板と共通の非点収差補正板とで各ビーム光の非点収差補正量を変えて、各ビーム光の非点収差を粗調整したり微調整したりして、非点収差の調整精度を上げることができる。さらに、液晶素子等の電子部品や回路によって電気的に各ビーム光の非点収差を管理する必要がない。よって、波長が異なるビーム光を発射する複数の光源を備えた光ピックアップにおいて、各ビーム光の非点収差の管理を容易かつ安価に行うことが可能となる。そしてこの結果、光ディスクの再生時や記録時に優良な信号品質を確保することが可能となる。
【０００８】
また、本発明では、上記光ピックアップにおいて、各角度調整機構は、各ビーム光の光軸が各非点収差補正板の中心を透過するように、各非点収差補正板を該非点収差補正板の中心線と対角線とにそれぞれ一致する複数の軸回りに回転可能に支持する。
【０００９】
このようにすると、各角度調整機構により各非点収差補正板を各ビーム光の光軸を中心に複数の軸回りに回転させて、各非点収差補正板の傾斜角度を多方向に調整することができる。このため、各非点収差補正板の非点収差補正範囲を広げて、各ビーム光の非点収差をより精度良く管理することが可能となる。
【００１０】
また、本発明では、上記光ピックアップにおいて、各光源から発射してコリメートレンズから出射した各ビーム光の非点収差が目標範囲内に収まるように、各非点収差補正板の傾斜角度を角度調整機構により調整して、各非点収差補正板を固定した。上記目標範囲は、光ディスクの再生時や記録時に優良な信号品質を確保できるように予め設定した各ビーム光のコリメートレンズ出射後の非点収差の範囲である。
【００１１】
このようにすると、光ピックアップの組み立て時に、各非点収差補正板の取り付け角度を調整して、各ビーム光の非点収差を管理して、光ディスクに対する優良な再生性能や記録性能を確保することができる。また、光ピックアップの組み立て後に、電子部品や回路等によって、光ディスクの盤面上の非点収差を管理する必要がない。
【００１２】
また、本発明では、上記光ピックアップにおいて、波長が短いビーム光を光源の一方から発射して、該ビーム光のコリメートレンズからの出射後の非点収差が前記目標範囲内に収まるように、光源の一方に対応する非点収差補正板と共通の非点収差補正板の傾斜角度を角度調整機構により調整して、該非点収差補正板を固定し、この後波長が長いビーム光を光源の他方から発射して、該ビーム光のコリメートレンズからの出射後の非点収差が目標範囲内に収まるように、光源の他方に対応する非点収差補正板の傾斜角度を角度調整機構により調整して、該非点収差補正板を固定した。ビーム光のコリメートレンズからの出射後の非点収差は、干渉計等の計測装置により計測する。
【００１３】
一般に、ビーム光の収差に関する感度はビーム光の波長が短い程高くなるため、即ち光学部品において生じるビーム光の収差はビーム光の波長が短い程大きくなるため、波長が短いビーム光より先に波長が長いビーム光の非点収差を調整すると、波長が短いビーム光の非点収差を目標範囲内に収められず管理しきれないおそれがある。然るに、上記のように先に波長が短いビーム光の非点収差を調整し、次に波長が長いビーム光の非点収差を調整すると、各ビーム光の非点収差を目標範囲内に確実に収めて管理することができる。また、共通の非点収差補正板で各ビーム光の非点収差を粗調整し、各光源に対応する各非点収差補正板で各ビーム光の非点収差を微調整して、各ビーム光の非点収差の調整精度を一層上げることができる。
【００１４】
さらに、本発明の典型的な実施形態では、上記光ピックアップにおいて、光源は、ＢＤに応じた第１のビーム光を発射する第１の光源と、ＤＶＤに応じた第２のビーム光とＣＤに応じた第３のビーム光とを発射する第２の光源とから成る。対物レンズは、第１のビーム光をＢＤ上に集光する第１の対物レンズと、第２または第３のビーム光をＤＶＤ上またはＣＤ上に集光する第２の対物レンズとから成る。非点収差補正板は、板ガラス製の平行平板であって、第１の光源と光軸一致体との間に第１のビーム光の光軸に対して傾斜させて配置された第１の非点収差補正板と、第２の光源と光軸一致体との間に第２および第３のビーム光の光軸に対して傾斜させて配置された第２の非点収差補正板と、光軸一致体とコリメートレンズとの間に光軸一致体から出射した各ビーム光の光軸に対して傾斜させて配置された第３の非点収差補正板とから成る。角度調整機構は、各ビーム光の光軸が各非点収差補正板の中心を透過するように、各非点収差補正板を該非点収差補正板の縦の中心線と一方の対角線とにそれぞれ一致する２つの軸回りにそれぞれ回転可能に支持しつつ、各非点収差補正板の各ビーム光の光軸に対する傾斜角度をそれぞれ調整する第１、第２、および第３の角度調整機構から成る。
【００１５】
このようにすると、光ピックアップの組み立て時に、第１〜第３の非点収差補正板の傾斜角度を第１〜第３の角度調整機構によりそれぞれ調整して、各ビーム光のコリメートレンズからの出射後の光束を整え、各ビーム光の非点収差を確実に調整し管理することができる。また、第１または第２の非点収差補正板と第３の非点収差補正板とで各ビーム光の非点収差補正量を補完し合って、各ビーム光の非点収差を確実に精度良く管理することができる。また、各非点収差補正板により各ビーム光の非点収差補正量を変えて、各ビーム光の非点収差を粗調整したり微調整したりして、非点収差の調整精度を上げることができる。また、各角度調整機構により各非点収差補正板を各ビーム光の光軸を中心に２つの軸回りに回転させて、各非点収差補正板の傾斜角度を多方向に調整することができる。このため、各非点収差補正板を３つ以上の軸回りに回転可能にするより、各角度調整機構の構造を簡素化して、コストを低く抑えつつ、各非点収差補正板の非点収差補正範囲を広げて、各ビーム光の非点収差をより精度良く管理することが可能となる。さらに、光ピックアップの組み立て後に、液晶素子等の電子部品や回路によって電気的に非点収差を管理する必要がない。よって、ＢＤ、ＤＶＤ、およびＣＤに応じた波長が異なる第１〜第３のビーム光を発射する第１および第２の光源を備えた光ピックアップにおいて、各ビーム光の非点収差の管理を容易かつ安価に行うことが可能となる。そしてこの結果、ＢＤ、ＤＶＤ、またはＣＤの再生時や記録時に優良な信号品質を確保することが可能となる。
【発明の効果】
【００１６】
本発明によれば、波長が異なるビーム光を発射する複数の光源を備えた光ピックアップにおいて、各ビーム光の非点収差の管理を容易かつ安価に行うことが可能となる。
【発明を実施するための最良の形態】
【００１７】
図１は、本発明の実施形態に係る光ピックアップ１００の光学系を示す図である。光ピックアップ１００は、３波長対応の光ピックアップであって、ＢＤ（Blu-ray Disc；登録商標）、ＤＶＤ（Digital  Versatile Disc）、またはＣＤ（Compact  Disc）の各光ディスク３０に対して、それぞれに応じたビーム光により情報の再生または記録を行う。光ピックアップ１００には、レーザダイオード（以下、「ＬＤ」という。）１、２、非点収差（以下、「ＡＳ」という。）補正板３、４、６、ダイクロイックプリズム（以下、「ＤＩＣ」という。）５、９、偏光ビームスプリッタプリズム（以下、「ＰＢＳ」という。）７、コリメートレンズ（以下、「ＣＯＬ」という。）８、立ち上げミラー１０、対物レンズ１１、１２、シリンドリカルレンズ（以下、「ＣＹＬ」という。）１３、および光検出素子１４といった光学部品が備わっている。光ディスク３０は、対物レンズ１１、１２の上方に設置される。
【００１８】
対物レンズ１１は、ＢＤとＢＤに応じたＢＤ用ビーム光（４０５ｎｍの波長を有する青色光）に適合するように設計されている。対物レンズ１１は、ＢＤ用ビーム光をＢＤ上に集光させる。対物レンズ１２は、ＤＶＤとＤＶＤに応じたＤＶＤ用ビーム光（６５０ｎｍの波長を有する赤色光）に適合するように設計されている。対物レンズ１２は、ＤＶＤ用ビーム光またはＣＤに応じたＣＤ用ビーム光（７８０ｎｍの波長を有する近赤外光）をＤＶＤ上またはＣＤ上に集光させる。対物レンズ１１、１２は、図示しないアクチュエータに設置されている。ＬＤ１は、ＢＤ用ビーム光を発射する光源である。ＬＤ２は、ＤＶＤ用ビーム光とＣＤ用ビーム光を発射する光源である。光ピックアップ１００に備わる図示しない制御部は、設置された光ディスク３０の種類に応じたビーム光をＬＤ１、２から発射する。ＤＩＣ５は、各ＬＤ１、２から発射されたビーム光の光軸を一致させる光軸一致体である。
【００１９】
ＡＳ補正板３、４、６は、板ガラス製の平行平板である。ＡＳ補正板３は、ＬＤ１とＤＩＣ５の間にＬＤ１から発射されたＢＤ用ビーム光の光軸（太い一点鎖線）に対して傾斜させて配置されている。ＡＳ補正板４は、ＬＤ２とＤＩＣ５の間にＬＤ２から発射されたＤＶＤ／ＣＤ用ビーム光（ＤＶＤ用ビーム光またはＣＤ用ビーム光）の光軸（太い二点鎖線）に対して傾斜させて配置されている。つまり、ＡＳ補正板３、４は、各光源１、２に対応するように設けられている。ＡＳ補正板３は、ＢＤ用ビーム光の非点収差を補正する。ＡＳ補正板４は、ＤＶＤ／ＣＤ用ビーム光の非点収差を補正する。ＡＳ補正板６は、ＤＩＣ５とＣＯＬ８の間にＤＩＣ５から出射したＢＤ／ＤＶＤ／ＣＤ用ビーム光（ＢＤ用ビーム光、ＤＶＤ用ビーム光、またはＣＤ用ビーム光）の光軸（太い実線）に対して傾斜させて配置されている。図１では、ＡＳ補正板６をＤＩＣ５とＰＢＳ７の間に配置しているが、ＡＳ補正板６をＰＢＳ７とＣＯＬ８の間に配置するようにしてもよい。つまり、ＡＳ補正板６は、各光源１、２に共通で設けられている。ＡＳ補正板６は、ＢＤ／ＤＶＤ／ＣＤ用ビーム光の非点収差を補正する。
【００２０】
各ＡＳ補正板３、４、６はそれぞれ、図２に示す角度調整機構２３、２４、２６を介して光ピックアップ１００のフレームに取り付けられている。図２では、便宜上各ＡＳ補正板３、４、６と各角度調整機構２３、２４、２６を同一図で示している。ＡＳ補正板３と角度調整機構２３が対応し、ＡＳ補正板４と角度調整機構２４が対応し、ＡＳ補正板６と角度調整機構２６が対応している。各角度調整機構２３、２４、２６は、内枠２０、外枠２１、および軸２２、２５から成る。図２に対して垂直に向かう方向がＢＤ／ＤＶＤ／ＣＤ用ビーム光の進行方向である。各ＡＳ補正板３、４、６は、ＢＤ／ＤＶＤ／ＣＤ用ビーム光の光軸が各ＡＳ補正板３、４、６の中心を透過するように、各ＡＳ補正板３、４、６の縦の中心線（光ピックアップ１００の高さ方向と平行な中心線）Ｙと一致する軸２２を介して内枠２０に回転可能に支持されている。内枠２０は、各ＡＳ補正板３、４、６の一方の対角線Ｗと一致する軸２５を介して外枠２１に回転可能に支持されている。外枠２１は、ＢＤ／ＤＶＤ／ＣＤ用ビーム光の光軸に対して垂直に光ピックアップ１００のフレームに固定されている。つまり、各角度調整機構２３、２４、２６は、ＢＤ／ＤＶＤ／ＣＤ用ビーム光の光軸が各ＡＳ補正板３、４、６の中心を透過するように、各ＡＳ補正板３、４、６を該ＡＳ補正板３、４、６の縦の中心線Ｙと一方の対角線Ｗとにそれぞれ一致する２つの軸２２、２５回りにそれぞれ回転可能に支持している。各角度調整機構２３、２４、２６において、図示しないピン等の治具を各軸２２、２５に係合して、各軸２２、２５とともに各ＡＳ補正板３、４、６を軸２２、２５回りに回転させることで、各ＡＳ補正板３、４、６のＢＤ／ＤＶＤ／ＣＤ用ビーム光の光軸に対する傾斜角度を調整して、ＢＤ／ＤＶＤ／ＣＤ用ビーム光の非点収差補正量を変えることができる。上記では、角度調整機構２３、２４、２６を２重枠構造にして、ＡＳ補正板３、４、６を軸２２、２５回りに回転可能に支持しているが、これ以外に、角度調整機構を２重枠以上の構造にして、ＡＳ補正板を縦の中心線Ｙと横の中心線（光ディスク３０と平行な中心線）Ｘの少なくとも一方に一致する軸と、対角線Ｗ、Ｖの少なくとも一方に一致する軸の回りに回転可能に支持するようにしてもよい。
【００２１】
図１のＬＤ１から発射されたＢＤ用ビーム光は、太い一点鎖線で示すようにＡＳ補正板３を透過して、非点収差を補正され、ＤＩＣ５に入射した後、ＤＩＣ５の反射面で反射して、光路を曲げられる。ＬＤ２から発射されたＤＶＤ／ＣＤ用ビーム光は、太い二点鎖線で示すようにＡＳ補正板４を透過して、非点収差を補正され、ＤＩＣ５に入射した後、ＤＩＣ５の反射面を透過する。ＢＤ／ＤＶＤ／ＣＤ用ビーム光の光軸は、太い実線で示すようにＤＩＣ５で一致させられる。ＤＩＣ５から出射したＢＤ／ＤＶＤ／ＣＤ用ビーム光は、ＡＳ補正板６を透過して、非点収差を補正され、ＰＢＳ７に入射してＰＢＳ７の反射面を透過した後、ＣＯＬ８を透過して、平行光に変換される。ＣＯＬ８から出射したＢＤ用ビーム光は、一点鎖線で示すように、ＤＩＣ９に入射した後、ＤＩＣ９の反射面で反射して、光路を曲げられ、対物レンズ１１を透過して、ＢＤ上に集光される。ＣＯＬ８から出射したＤＶＤ／ＣＤ用ビーム光は、二点鎖線で示すように、ＤＩＣ９に入射した後、ＤＩＣ９の反射面を透過して、立ち上げミラー１０で反射して、光路を曲げられ、対物レンズ１２を透過して、ＤＶＤ上またはＣＤ上に集光される。
【００２２】
ＢＤ／ＤＶＤ／ＣＤ用ビーム光の光ディスク３０での反射光は、上記と逆の順番で各光学部品８〜１２を経て、ＰＢＳ７に入射する。そして反射光は、ＰＢＳ７の反射面で反射して、光路を曲げられ、ＣＹＬ１３を透過して、光検出素子１４に受光される。光検出素子１４は、受光した反射光を電気信号に変換して、フォーカスエラー信号、トラッキングエラー信号、再生信号、およびその他の収差や光量に関する信号を検出する。光ピックアップ１００の制御部は、光検出素子１４から出力される上記各信号に基づいて、フォーカスやトラッキングのサーボを行いつつ、各光ディスク３０に対して情報の再生または記録を行う。
【００２３】
図３は、本発明の実施形態に係る光ピックアップ１００の非点収差調整方法の手順を示す図である。本方法は、光ピックアップ１００の組み立て時に係員によって実施される。図１に示したように光ピックアップ１００の光学部品１〜１４を配置した後、ＬＤ１からＢＤ用ビーム光を発射する（ステップＳ１）。そして、光学部品３、５、６、７を透過してＣＯＬ８から出射したＢＤ用ビーム光の非点収差を干渉計等の計測装置により計測して確認する（ステップＳ２）。ＢＤ用ビーム光の非点収差の計測位置は、ＣＯＬ８とＤＩＣ９の間、ＤＩＣ９と対物レンズ１１の間、対物レンズ１１と光ディスク３０の間、または光ディスク３０の盤面上のいずれでもよい。そして、ＣＯＬ８出射後のＢＤ用ビーム光の非点収差が目標範囲内に収まるように、先ず角度調整機構２６によりＡＳ補正板６の傾斜角度を調整して、ＡＳ補正板６によりＢＤ用ビーム光の非点収差を粗調整し（ステップＳ３）、次に角度調整機構２３によりＡＳ補正板３の傾斜角度を調整して、ＡＳ補正板３によりＢＤ用ビーム光の非点収差を微調整する（ステップＳ４）。上記目標範囲は、ＢＤの再生時や記録時に優良な信号品質を確保できるように予め設定したＢＤ用ビーム光のＣＯＬ８出射後の非点収差の範囲である。そして、ＡＳ補正板３、６での調整によりＣＯＬ８出射後のＢＤ用ビーム光の非点収差が目標範囲内に収まると（ステップＳ５：ＹＥＳ）、ＬＤ１からのＢＤ用ビーム光の発射を停止して、ＡＳ補正板３、６を固定する（ステップＳ６）。このとき、ＡＳ補正板３、６と角度調整機構２３、２６を動かないように接着剤等により固定する。
【００２４】
次に、ＬＤ２からＤＶＤ用ビーム光を発射する（ステップＳ７）。そして、光学部品４、５、６、７を透過してＣＯＬ８から出射したＤＶＤ用ビーム光の非点収差を計測装置により計測して確認する（ステップＳ８）。ＤＶＤ用ビーム光の非点収差の計測位置は、ＣＯＬ８とＤＩＣ９の間、ＤＩＣ９と対物レンズ１２の間、対物レンズ１２と光ディスク３０の間、または光ディスク３０の盤面上のいずれでもよい。そして、ＣＯＬ８出射後のＤＶＤ用ビーム光の非点収差が目標範囲内に収まるように、角度調整機構２４によりＡＳ補正板４の傾斜角度を調整して、ＡＳ補正板４によりＤＶＤ用ビーム光の非点収差を微調整する（ステップＳ９）。上記目標範囲は、ＤＶＤの再生時や記録時に優良な信号品質を確保できるように予め設定したＤＶＤ用ビーム光のＣＯＬ８出射後の非点収差の範囲である。この他、ＣＤ用ビーム光のＣＯＬ８出射後の非点収差の目標範囲も予め設定されている。そして、ＡＳ補正板４での調整によりＣＯＬ８出射後のＤＶＤ用ビーム光の非点収差が目標範囲内に収まると（ステップＳ１０：ＹＥＳ）、ＬＤ２からのＤＶＤ用ビーム光の発射を停止して、ＡＳ補正板４を固定する（ステップＳ１１）。このとき、ＡＳ補正板４と角度調整機構２４を動かないように接着剤等により固定する。この後、対物レンズ１１、１２のあおり等のような、アクチュエータ（ＡＣＫ）の調整を行って（ステップＳ１２）、終了する。
【００２５】
上述したようにすると、光ピックアップ１００の組み立て時に、ＡＳ補正板３、４、６の傾斜角度を角度調整機構２３、２４、２６により調整して、ＢＤ／ＤＶＤ／ＣＤ用ビーム光のＣＯＬ８出射後の光束を整え、各ビーム光の非点収差を確実に調整し管理することができる。また、各光源１、２に対応するＡＳ補正板３、４と共通のＡＳ補正板６とで各ビーム光の非点収差補正量を補完し合って、各ビーム光の非点収差を確実に精度良く管理することができる。また、各ＡＳ補正板３、４、６で各ビーム光の非点収差補正量を変えて、各ビーム光の非点収差を粗調整したり微調整したりして、非点収差の調整精度を上げることができる。また、光ピックアップの組み立て後に、液晶素子等の電子部品や回路によって電気的に各ビーム光の非点収差を管理する必要がない。
【００２６】
また、各角度調整機構２３、２４、２６により各ＡＳ補正板３、４、６を各ビーム光の光軸を中心に２つの軸２２、２５回りに回転させて、各ＡＳ補正板３、４、６の傾斜角度を多方向に調整することができる。このため、各ＡＳ補正板３、４、６を３つ以上の軸回りに回転可能にするより、各角度調整機構２３、２４、２６の構造を簡素化して、コストを低く抑えつつ、各ＡＳ補正板３、４、６の非点収差補正範囲を広げて、各ビーム光の非点収差をより精度良く管理することが可能となる。
【００２７】
さらに、一般にビーム光の収差に関する感度はビーム光の波長が短い程高くなるため、即ち光学部品において生じるビーム光の収差はビーム光の波長が短い程大きくなるため、波長が短いＢＤ用ビーム光より先に波長が長いＤＶＤ用ビーム光の非点収差を調整すると、ＢＤ用ビーム光の非点収差を目標範囲内に収められず管理しきれないおそれがある。然るに、上述したように、先に最も収差に関する感度が高くて波長が短いＢＤ用ビーム光の非点収差を調整し、次に収差に関する感度が高くて波長が短いＤＶＤ用ビームの非点収差を調整すると、最も収差に関する感度が低くて波長が長いＣＤ用ビーム光の非点収差の調整を省略しても、各ビーム光の非点収差を目標範囲内に確実に収めて管理することができる。また、ＡＳ補正板６で各ビーム光の非点収差を粗調整し、ＡＳ補正板３、４で各ビーム光の非点収差を微調整するので、各ビーム光の非点収差の調整精度を一層上げることができる。
【００２８】
よって、波長が異なるＢＤ／ＤＶＤ／ＣＤ用ビーム光を発射する複数の光源１、２を備えた光ピックアップ１００において、各ビーム光の非点収差の管理を容易かつ安価に行うことが可能となる。そしてこの結果、ＢＤ、ＤＶＤ、またはＣＤの再生時や記録時に優良な信号品質を確保することが可能となる。
【００２９】
本発明は、以上の実施形態以外にも種々の形態を採用することができる。例えば、以上の実施形態では、ＢＤ用ビーム光を発射するＬＤ１と、ＤＶＤ用ビーム光およびＣＤ用ビーム光を発射するＬＤ２とを光源として用いた例を挙げたが、本発明はこれのみに限定するものではなく、これ以外に、例えばＢＤ用、ＤＶＤ用、およびＣＤ用のビーム光をそれぞれ発射する３つのＬＤ等を光源として用いてもよい。また、２種類または４種類以上の光ディスクに対応する２種類または４種類以上のビーム光を発射する複数の光源を用いるようにしてもよい。これらの場合、各光源と各光源から発射された各ビーム光の光軸を一致させる光軸一致体との間に、各光源に対応するＡＳ補正板とこれの傾斜角度を調整する角度調整機構を配置し、光軸一致体とコリメートレンズの間に、各光源に共通のＡＳ補正板とこれの傾斜角度を調整する角度調整機構を配置すればよい。
【００３０】
また、以上の実施形態では、ＢＤ、ＤＶＤ、ＣＤという３種類の光ディスク３０に対して情報の再生や記録が可能な光ピックアップ１００に本発明を適用した例を挙げたが、本発明は、ＢＤ、ＤＶＤ、ＣＤ、またはこれら以外の光ディスクのうち、少なくとも２種類以上の光ディスクに対して情報の再生や記録が可能な光ピックアップにも適用することが可能である。
【図面の簡単な説明】
【００３１】
【図１】本発明の実施形態に係る光ピックアップの光学系を示す図である。
【図２】同光ピックアップの非点収差補正板の角度調整機構を示す図である。
【図３】同光ピックアップの非点収差調整方法の手順を示す図である。
【符号の説明】
【００３２】
１、２  レーザダイオード
３、４、６  非点収差補正板
５  ダイクロイックプリズム
８  コリメートレンズ
１１、１２  対物レンズ
２３、２４、２６  角度調整機構
３０  光ディスク
１００  光ピックアップ
Ｗ  非点収差補正板の一方の対角線
Ｙ  非点収差補正板の縦の中心線
【図１】
2008257793.tif 000003
【図２】
2008257793.tif 000004
【図３】
2008257793.tif 000005